(57)【特許請求の範囲】
【請求項１】
第１の光学記録媒体から信号を再生または記録するための第１の光学系と、第２の光学記録媒体から信号を再生または記録するための第２の光学系とを備え、
該第１の光学記録媒体から信号を再生または記録するときの該第１の光学記録媒体から該第１の光学系までの距離を、該第２の光学記録媒体から信号を再生または記録するときの該第２の光学記録媒体から該第２の光学系までの距離よりも小さくする光ピックアップ装置において、
前記第１および第２の光学系が同一平面上に、それぞれの光軸を平行状態として配置されており、各光学系の光軸と平行に設けられた摺動軸を中心として回転可能になったホルダーと、
該ホルダーを前記第１および第２の光学系の光軸と平行な第１の方向に移動させるフォーカシング駆動手段と、
該ホルダーを前記摺動軸を中心として回転させ、該第１の光学記録媒体から信号を再生または記録するときには該第１の光学系を光路上に配置し、該第２の光学記録媒体から信号を再生または記録するときには該第２の光学系を光路上に配置するとともに、前記光路上に配置された前記第１または第２の光学系を、前記第１または第２の光学記録媒体にトラッキングさせるトラッキング駆動および切り替え駆動手段と、
該トラッキング駆動および切り替え駆動手段によって前記光路上に前記第１または第２の光学系を配置するときに、該第１の光学系と該第１の光学記録媒体との距離が、該第２の光学系と該第２の光学記録媒体との距離よりも小さくなるように、該ホルダーの回転に伴って該第１および第２の光学系の位置を磁気的な力によって制御する距離可変駆動手段と
を備えた光ピックアップ装置。
【請求項２】
前記距離可変駆動手段は、前記ホルダーの回転に伴って、該ホルダーを光軸方向に駆動させる請求項１に記載の光ピックアップ装置。
【請求項３】
前記距離可変駆動手段は、磁気的な反発力により前記ホルダーを光軸方向に駆動させる請求項２に記載の光ピックアップ装置。
【請求項４】
前記距離可変駆動手段は、前記光学系の切り替え時における前記ホルダーの回転時および該ホルダーの停止時に、前記光軸方向の磁気的な反発力を該ホルダーに働かせる請求項３に記載の光ピックアップ装置。
【請求項５】
前記距離可変駆動手段は、磁気的な吸引力により前記ホルダーを光軸方向に駆動させる請求項２に記載の光ピックアップ装置。
【請求項６】
前記距離可変駆動手段は、前記光学系の切り替え時における前記ホルダーの回転時および該ホルダーの停止時に、前記光軸方向の磁気的な吸引力を該ホルダーに働かせる請求項５に記載の光ピックアップ装置。
【請求項７】
前記フォーカシング駆動手段は、第１の光学記録媒体または第２の光学記録媒体が光ディスク装置内に設置されるときに、その光学記録媒体と前記ホルダーとの距離が、該第２の光学系が光路上に配置されているときの該第２の光学記録媒体と該ホルダーの距離よりも大きくなるように、該ホルダーを光軸方向に駆動してその位置に保持する請求項１乃至請求項６のいずれかに記載の光ピックアップ装置。
【発明の詳細な説明】
【０００１】
【発明の属する技術分野】
本発明は、例えば光ディスクや光磁気ディスク等の光学記録媒体に記録再生を行うための光学ヘッドや光学ディスク装置に用いられる光ピックアップ装置に関する。
【０００２】
【従来の技術】
従来から、光学記録媒体は、映像音声情報やコンピューターのデータを保存するために使用されている。また、最近では、これらの光学記録媒体に対して、記録の高密度化および大容量化の要求が強くなっている。
【０００３】
この記録媒体の記録密度を向上させる方法としては、光ピックアップ装置に備わった対物レンズの高ＮＡ（開口数）化、および光源であるレーザの短波長化が挙げられる。但し、対物レンズを高ＮＡ化するためには、対物レンズと記録媒体との距離を小さくする必要がある。また、高ＮＡの対物レンズでは、低ＮＡの対物レンズに比べて、ディスクと対物レンズとのチルトにより発生する収差が大きくなる。このため、ディスクのカバーガラスを薄くしてレンズとのチルトにより発生する収差を小さくした記録媒体を、高ＮＡの対物レンズおよび短波長のレーザを用いて記録再生する方法が提案されている。
【０００４】
このような高ＮＡの対物レンズを用いた場合、低ＮＡの対物レンズを用いて再生を行うように設計されている既存のＣＤやＤＶＤ等のディスクでは、再生を行うのが困難になる。従って、ＣＤやＤＶＤ等のディスクを再生するためには、光ピックアップ装置にＣＤやＤＶＤ用の低ＮＡレンズを設ける必要がある。
【０００５】
そこで、特開平１１−１２０５８７号公報には、図１４に示すように、ホルダー５５に高ＮＡである第１の光学系５２を構成する第１のレンズ５０および第２のレンズ５１と、低ＮＡである第２の光学系（第３のレンズ）５３とを搭載し、両光学系を各々のディスク７０、７１に応じて切り替える光ピックアップ装置が開示されている。この光ピックアップ装置においては、第１の光学系５２から第１のディスク７１までの距離と、第２の光学系５３から第２のディスク７０までの距離が異なるように、第１のレンズ５０から第１のディスク７１までの距離と、第３のレンズ５３から第２のディスク７０までの距離を異ならせて配置している。
【０００６】
【発明が解決しようとする課題】
しかしながら、上記従来例では、ＮＡの違いによるレンズとディスクの距離差をホルダーの設置位置で調整している。このため、第２のディスク７０の記録再生時、すなわち低ＮＡである第２の光学系（第３のレンズ５３）を使用中に、光軸方向のサーボが外れた場合、高ＮＡである第１の光学系５２が第２のディスク７０と衝突し、第２のディスク７０または第１の光学系５２が損傷するおそれがある。
【０００７】
また、低ＮＡである第２の光学系（第３のレンズ５３）と高ＮＡである第１の光学系５２を構成する第１のレンズ５０とを略同一平面上に配置した場合、ディスクによって記録再生時におけるディスクから光学系までの設定距離が大きく異なるため、ホルダー５５を移動させる距離が大きくなり、機械的なチルト特性を確保するのが困難になる。
【０００８】
さらに、光学系を同一平面上に配置した場合には、ディスクに応じてレンズとディスクとの距離を設定するために、ホルダーをフォーカスのサーボが引き込まれる距離まで移動させるのに直流を流し続ける必要があり、省電力化の妨げになるという問題がある。
【０００９】
本発明は、このような従来技術の課題を解決するためになされたものであり、ディスクから光学系までの設定距離が異なる場合にディスクと対物レンズの衝突を防いで、複数の仕様の光学記録媒体を記録再生することが可能な光ピックアップ装置を提供することを目的とする。
【００１０】
【課題を解決するための手段】
上記課題を解決するために、本発明の光ピックアップ装置は、第１の光学記録媒体から信号を再生または記録するための第１の光学系と、第２の光学記録媒体から信号を再生または記録するための第２の光学系とを備え、該第１の光学記録媒体から信号を再生または記録するときの該第１の光学記録媒体から該第１の光学系までの距離を、該第２の光学記録媒体から信号を再生または記録するときの該第２の光学記録媒体から該第２の光学系までの距離よりも小さくする光ピックアップ装置において、前記第１および第２の光学系が同一平面上に、それぞれの光軸を平行状態として配置されており、各光学系の光軸と平行に設けられた摺動軸を中心として回転可能になったホルダーと、該ホルダーを前記第１および第２の光学系の光軸と平行な第１の方向に移動させるフォーカシング駆動手段と、該ホルダーを前記摺動軸を中心として回転させ、該第１の光学記録媒体から信号を再生または記録するときには該第１の光学系を光路上に配置し、該第２の光学記録媒体から信号を再生または記録するときには該第２の光学系を光路上に配置するとともに、前記光路上に配置された前記第１または第２の光学系を、前記第１または第２の光学記録媒体にトラッキングさせるトラッキング駆動および切り替え駆動手段と、該トラッキング駆動および切り替え駆動手段によって前記光路上に前記第１または第２の光学系を配置するときに、該第１の光学系と該第１の光学記録媒体との距離が、該第２の光学系と該第２の光学記録媒体との距離よりも小さくなるように、該ホルダーの回転に伴って該第１および第２の光学系の位置を磁気的な力によって制御する距離可変駆動手段とを備えていることを特徴とする。
【００１１】
上記構成によれば、光学系の切り替え時に、ディスク（光学記録媒体）に応じてディスクから光学系（対物レンズ）までの距離を変化させることにより、ディスクと対物レンズの設定距離が異なる複数の仕様のディスクを記録再生可能である。さらに、ホルダーの設置位置でディスクと光学系の距離差を調整している従来技術のようにディスクとレンズとが衝突するのを防ぐことが可能になる。
【００１２】
請求項２に記載の本発明の光ピックアップ装置は、前記距離可変駆動手段が、前記ホルダーの回転に伴って、該ホルダーを光軸方向に駆動させることを特徴とする。
【００１３】
上記構成によれば、ホルダーのみを光軸方向に移動させることにより、ディスクに応じてディスクからレンズまでの距離を設定することが可能であるため、光ピックアップ装置のコストアップを防ぐことが可能である。
【００１４】
請求項３に記載の本発明の光ピックアップ装置は、前記距離可変駆動手段が、磁気的な反発力により前記ホルダーを光軸方向に駆動させることを特徴とする。
【００１５】
上記構成によれば、ディスクに応じてディスクからレンズまでの距離を反発力のみで設定することが可能であるため、電磁力を発生させるためにコイルに流す電流を小さくすることが可能である。また、コイルからの発熱が小さくなるため、レンズへの熱伝達が小さくなり、光学的な悪影響を低減することが可能である。また、ホルダーの駆動推力を小さくすることが可能であるため、磁気回路を小さくすることが可能であり、光ピックアップ装置の小型化のために有効である。さらに、コイルの重量が小さくなるため、可動部の軽量化によって高速駆動が可能となる。
【００１６】
請求項４に記載の本発明の光ピックアップ装置は、前記距離可変駆動手段が、前記光学系の切り替え時における前記ホルダーの回転時および該ホルダーの停止時に、前記光軸方向の磁気的な反発力を該ホルダーに働かせることを特徴とする。
【００１７】
上記構成によれば、光学系の切り替えのためにホルダーを移動させている間、および静止させるときに反発力が働いているため、ホルダー位置決め時に光軸方向に発生するホルダーの振動を小さくすることが可能である。よって、発生する振動によるディスクとホルダーまたはレンズとの衝突を防ぐことが可能である。
【００１８】
請求項５に記載の本発明の光ピックアップ装置は、前記距離可変駆動手段が、磁気的な吸引力により前記ホルダーを光軸方向に駆動させることを特徴とする。
【００１９】
上記構成によれば、磁気的な吸引力を用いるため、ホルダーにマグネットではなくマグネットにより吸引される材質を設けることが可能である。従って、鉄などの安価な材料でホルダーの一部を構成して、光ピックアップ装置のコストアップを防ぐことが可能である。
【００２０】
請求項６に記載の本発明の光ピックアップ装置は、前記距離可変駆動手段が、前記光学系の切り替え時における前記ホルダーの回転時および該ホルダーの停止時に、前記光軸方向の磁気的な吸引力を該ホルダーに働かせることを特徴とする。
【００２１】
上記構成によれば、光学系の切り替えのためにホルダーを移動させている間、および静止させるときに吸引力が働いているため、ホルダー位置決め時に光軸方向に発生するホルダーの振動を小さくすることが可能である。よって、発生する振動によるディスクとホルダーまたはレンズとの衝突を防ぐことが可能である。
【００２２】
請求項７に記載の本発明の光ピックアップ装置は、前記フォーカシング駆動手段が、第１の光学記録媒体または第２の光学記録媒体が光ディスク装置内に設置されるときに、その光学記録媒体と前記ホルダーとの距離が、該第２の光学系が光路上に配置されているときの該第２の光学記録媒体と該ホルダーの距離よりも大きくなるように、該ホルダーを光軸方向に駆動してその位置に保持することを特徴とする。
【００２３】
上記構成によれば、ディスクを光ディスク装置内に設置するとき、ホルダーとディスクとの距離を光軸方向に大きくすることができるので、ホルダーまたはレンズと、ディスクとの衝突を防ぐことが可能である。
【００２４】
【発明の実施の形態】
以下に、本発明の実施形態について図面を参照しながら説明する。
【００２５】
（実施形態１）
図１および図４は実施形態１の光ピックアップ装置を説明するための上面図であり、図２は図１のＡ−Ａ’部分の断面図であり、図３および図６は図１および図２に示したホルダーの下面図であり、図５は図４のＢ−Ｂ’部分の断面図である。図１〜図３は第１の光学系が光路上に配置されている状態を示し、図４〜図６は第２の光学系が光路上に配置されている状態を示す。
【００２６】
この光ピックアップ装置は、レーザー光を通過させるための２つの貫通孔４１、４２を有するホルダー１を有し、各貫通孔４１、４２に第１の光学系６０と第２の光学系５とが配置されている。
【００２７】
第１の光学系６０について説明する。第１の光学系６０は、図７に示すように、ディスク２１側にある第１のレンズ６と光源であるレーザー（図示せず）側にある第２のレンズ７とからなる。この第１の光学系６０は、例えば波長４０５ｎｍ対応のＮＡが０．８５であり、カバーガラス厚みが０．１ｍｍの第１のディスク２１の記録再生を行う。記録再生を行うとき、第１のディスク２１と第１のレンズ６との距離は０．１ｍｍ程度に設定される。なお、図７は第１の光学系６０の動作状態を説明するための図である。
【００２８】
次に、第２の光学系５について説明する。第２の光学系５は、図８に示すように、第３のレンズのみからなる。この第２の光学系５は、例えば波長６５０ｎｍ対応のＮＡが０．６であり、カバーガラス厚みが０．６ｍｍの第２のディスク２０の再生のみ、または記録と再生を行う。記録や再生を行うとき、第２のディスク２０と第３のレンズとの距離は１．８ｍｍ程度に設定される。なお、図８は第２の光学系５の動作状態を説明するための図である。
【００２９】
このように、第１の光学系６０（ディスク側の第１のレンズ６）から第１のディスク２１までの距離と、第２の光学系５（第３のレンズ）から第２のディスク２０までの距離は異なっており、例えば１．７ｍｍ程度の距離差が存在する。
【００３０】
次に、ホルダー１について説明する。ホルダー１の中心には、光軸方向に貫通孔２が設けられ、貫通孔２には光軸方向に摺動軸３が貫通している。摺動軸３はアクチュエータ台４に略垂直に取り付けられている。
【００３１】
ホルダー１は、摺動軸３を中心に回転することにより各ディスクのトラッキングが可能であり、また、摺動軸３に沿って光軸方向と平行に移動することにより各ディスクのフォーカシングが可能である。さらに、ホルダー１が摺動軸３を中心に回転することにより第１の光学系および第２の光学系５を切り替えて光路上に配置することが可能である。
【００３２】
ホルダー１には、図９の側面図に示すように、フォーカシング用コイル１４が光軸と平行な側面に回巻されており、トラッキング用コイル１５が光軸と平行な面上に回巻されて固定されている。
【００３３】
第４のマグネット１２ａ、１２ｂは、第２の光学系５が光路上に配置されているときにトラッキング用コイル１５に高い磁束密度が発生するように、トラッキング用コイル１５から間隔を開けてヨーク１１に取り付けられている。第４のマグネット１２ａ、１２ｂの着磁方向は、光軸と垂直で、かつ、マグネットと摺動軸３とを結ぶ直線方向である。ここで、トラッキング用コイル１５に通電すると、ホルダー１に光軸と垂直な方向のローレンツ力が発生し、ホルダー１が摺動軸３を中心として回転し、第２のディスク２０のトラッキングを行う。また、フォーカシング用コイル１４に通電すると、ホルダー１に光軸方向のローレンツ力が発生し、ホルダー１が摺動軸３に沿ってフォーカシング方向に駆動される。
【００３４】
第５のマグネット１３ａ、１３ｂは、第１の光学系６０が光路上に配置されているときにトラッキング用コイル１５に高い磁束密度が発生するように、トラッキング用コイル１５から間隔を開けてヨーク１１に取り付けられている。第５のマグネット１３ａ、１３ｂの着磁方向は、光軸と垂直で、かつ、マグネットと摺動軸３とを結ぶ直線方向である。ここで、トラッキング用コイル１５に通電すると、ホルダー１に光軸と垂直な方向のローレンツ力が発生し、ホルダー１が摺動軸３を中心として回転し、第１のディスク２１のトラッキングを行う。また、フォーカシング用コイル１４に通電すると、ホルダー１に光軸方向のローレンツ力が発生し、ホルダー１が摺動軸３に沿ってフォーカシング方向に駆動される。
【００３５】
なお、第１の光学系６０および第２の光学系５のトラッキングのために必要な推力に差がある場合には、第４のマグネット１２ａ、１２ｂと第５のマグネット１３ａ、１３ｂの磁束密度に差を設けて調整することもできる。
【００３６】
さらに、フォトインタラプタ等からなる位置センサー４０によって、第１光学系６０または第２光学系５が光路上に配置されたのを検出し、トラッキング用コイル１５に通電する電流値を適切に制御することができる。
【００３７】
次に、光学系の切り替え時にディスクから光学系までの距離を変化させる距離可変駆動手段について説明する。
【００３８】
本実施形態では、第１の光学系６０と第２の光学系５を搭載しているホルダー１の底面部、すなわち、光軸と垂直な面で、かつ、入射光側の面上に第１のマグネット８が取り付けられている。第１のマグネット８は光軸と平行な方向に着磁されている。また、アクチュエータ台４の光軸に垂直な面で、かつ、ホルダー１側に第３のマグネット９が取り付けられている。第３のマグネット９は、アクチュエータ台４における光軸と垂直な面から、光軸方向にある角度の傾斜をもって取り付けられている。また、第３のマグネット９は、アクチュエータ台４をディスク側から光軸と垂直な方向から見た図である図１０に示すように、摺動軸３を中心として扇形の形状を有している。第３のマグネット９の着磁方向は光軸方向と平行な方向であり、第１のマグネット８の着磁方向と反対方向に配置されている。
【００３９】
以下に、第１の光学系を用いてディスクの記録または再生を行う場合について、距離可変駆動手段の動作を説明する。この場合には、図１〜図３に示すように、第１のマグネット８と第３のマグネット９とが、光軸と平行な方向において対向する。よって、第１のマグネット８と第３のマグネット９とが反発する力が光軸と平行な方向に発生し、ホルダー１を光軸方向に移動させる推力が発生する。そして、ホルダー１が摺動軸に沿って光軸方向に移動し、第１のディスク２１と第１の光学系６０を構成する第１のレンズ６との距離が所定の値になる。
【００４０】
以下に、第２の光学系を用いてディスクの記録または再生を行う場合について、距離可変駆動手段の動作を説明する。この場合には、図４〜図６に示すように、第１のマグネット８と第３のマグネット９とが、光軸と平行な方向において対向する。よって、第１のマグネット８と第３のマグネット９とが反発する力が光軸と平行な方向に発生し、ホルダー１を光軸方向に移動させる推力が発生する。そして、ホルダー１が摺動軸に沿って光軸方向に移動し、第２のディスク２０と第２の光学系５（第３のレンズ）との距離が所定の値になる。
【００４１】
このとき、第３のレンズと第２のディスク２０との距離は、第１のレンズ６と第１のディスク２１との距離と比較して大きくなる。つまり、第３のマグネット９が光軸方向に傾斜しているため、第１の光学系６０と第２の光学系５との切り替え時に第１のマグネット８と第３のマグネット９の距離は略一定であるが、第１の光学系６０と第１のディスク２１間の距離および第２の光学系５と第２のディスク２０間の距離は異なり、各ディスクに応じた設定値にすることが可能になる。
【００４２】
さらに、第１の光学系６０および第２の光学系５の切り替え途中においても、第１のマグネット８と第３のマグネット９には反発力が働いている。従って、ホルダー１の光軸方向の推力が光学系の切り替え時に一定となるため、ホルダー１が光軸方向に振動する振幅が小さく、レンズとディスクとの衝突を防ぐことが可能となる。
【００４３】
また、第１および第２の光学記録媒体（ディスク）が本装置内に設置されるとき、第２の光学系５を光軸上に配置するようにする。そして、フォーカシングコイル１４に電流を流してホルダー１を光軸方向のレーザー（図示せず）側に駆動させ、第２の光学記録媒体と第２の光学系５との距離以上になるように、ホルダー１に電流を流したまま静止させておく。このような動作によって、光学記録媒体を設置するときに、光学記録媒体とレンズやホルダーとの衝突を防ぐことが可能となる。
【００４４】
（実施形態２）
図１１および図１２は実施形態２の光ピックアップ装置を説明するための上面図である。図１１は第１の光学系が光路上に配置されている状態を示し、図１２は第２の光学系が光路上に配置されている状態を示す。
【００４５】
本実施形態において、上記実施形態１と重複している部材に関しては説明を省略する。すなわち、本実施形態の光ピックアップ装置でも、ホルダー１にフォーカシング用コイル１４およびトラッキング用コイル１５が装着され、フォーカシングおよびトラッキング動作については実施形態１と同様とする。
【００４６】
本実施形態では、光学系の切り替え時にディスクから光学系までの距離を変化させるために、ホルダー１の光軸と平行な面上に第６のマグネット３０が取り付けられている。第６のマグネット３０の着磁方向は光軸と垂直で、かつ、マグネットと摺動軸３とを結ぶ直線方向である。また、ホルダー１から間隔を開けて光軸方向と平行にベース３２が設けられ、ベース３２に第１の磁性体３１が取り付けられている。
【００４７】
第１の磁性体３１は例えば鉄やケイ素鉄合金等からなり、第６のマグネット３０と第１の磁性体３１の間に吸引力が発生する。また、第１の磁性体３１は、図１２のｙ方向から見た図である図１３に示すように、第１の光学系６０と第２の光学系５とが光路上に配置されるときに光軸方向の高さを異ならせるように、傾斜して設置されている。よって、第１の光学系６０から第１のディスク２１までの距離と、第２の光学系５から第２のディスク２０までの距離とを各ディスクに応じた設定値にすることが可能になる。
【００４８】
さらに、第１の光学系６０および第２の光学系５の切り替え途中においても、第６のマグネット３０と第１の磁性体３１には吸引力が働いている。従って、ホルダー１の光軸方向の推力が光学系の切り替え時に一定となるため、ホルダー１が光軸方向に振動する振幅が小さく、レンズとディスクとの衝突を防ぐことが可能となる。
【００４９】
なお、第６のマグネット３０および第１の磁性体３１は、第６のマグネットの代わりに磁性体を用い、かつ、第１の磁性体３１の代わりにマグネットを用いてもよい。さらに、両方ともマグネットを用いてもよい。
【００５０】
また、第１の実施形態と同様に、第１および第２の光学記録媒体が本装置内に設置されるとき、第２の光学系５を光軸上に配置するようにする。そして、フォーカシングコイル１４に電流を流してホルダー１を光軸方向のレーザー（図示せず）側に駆動させ、第２の光学記録媒体と第２の光学系５との距離以上になるように、ホルダー１に電流を流したまま静止させておく。このような動作によって、光学記録媒体を設置するときに、光学記録媒体とレンズやホルダーとの衝突を防ぐことが可能となる。
【００５１】
【発明の効果】
以上詳述したように、請求項１に記載の本発明によれば、ディスクと対物レンズの設定距離が異なる場合に、ディスクとレンズとが衝突するのを防いで、複数の仕様の光学記録媒体の記録再生を行うことができる。
【００５２】
また、請求項２に記載の本発明によれば、ホルダーのみを光軸方向に移動させることにより、簡単な機構でディスクに応じてディスクからレンズまでの距離を設定することが可能であるため、光ピックアップ装置のコストアップを防ぐことができる。
【００５３】
また、請求項３に記載の本発明によれば、ディスクに応じてディスクからレンズまでの距離を反発力のみで設定することが可能であるため、磁気を発生させるためにコイルに流す電流を小さくして省電力化を図ることができる。また、コイルからの発熱が小さくなるため、レンズへの熱伝達が小さくなり、光学的な悪影響を低減することができる。また、ホルダーの駆動推力を小さくすることが可能であるため、磁気回路を小さくして光ピックアップ装置の小型化を図ることができる。さらに、コイルの重量が小さくなるため、可動部の軽量化によって高速駆動を行うことができる。
【００５４】
また、請求項４に記載の本発明によれば、光学系の切り替えのためにホルダーを移動させている間、および静止させるときに反発力が働いている。よって、ホルダー位置決め時に光軸方向に発生するホルダーの振動を小さくして、振動によるディスクとホルダーまたはレンズとの衝突を防ぐことができる。
【００５５】
また、請求項５に記載の本発明によれば、磁気的な吸引力を用いるため、ホルダーにマグネットではなくマグネットにより吸引される材質を設けることが可能である。従って、鉄などの安価な材料でホルダーの一部を構成して、コストアップを防ぐことができる。
【００５６】
また、請求項６に記載の本発明によれば、光学系の切り替えのためにホルダーを移動させている間、および静止させるときに吸引力が働いている。よって、ホルダー位置決め時に光軸方向に発生するホルダーの振動を小さくして、振動によるディスクとホルダーまたはレンズとの衝突を防ぐことができる。
【００５７】
さらに、請求項７に記載の本発明によれば、ディスクを光ディスク装置内に設置するとき、ホルダーとディスクとの距離を光軸方向に大きくすることが可能であるため、ホルダーまたはレンズと、ディスクとの衝突を防ぐことができる。
【図面の簡単な説明】
【図１】実施形態１の光ピックアップ装置において、第１の光学系が光路上に配置されている状態を示す上面図である。
【図２】図１のＡ−Ａ’部分の断面図である。
【図３】図１に示したホルダーの底面図である。
【図４】実施形態１の光ピックアップ装置において、第２の光学系が光路上に配置されている状態を示す上面図である。
【図５】図４のＢ−Ｂ’部分の断面図である。
【図６】図４に示したホルダーの底面図である。
【図７】第１の光学系の動作状態を説明するための図である。
【図８】第２の光学系の動作状態を説明するための図である。
【図９】実施形態１の光ピックアップ装置におけるホルダーの側面図である。
【図１０】実施形態１の光ピックアップ装置において距離可変駆動手段を構成するマグネットの配置を示す上面図である。
【図１１】実施形態２の光ピックアップ装置において、第１の光学系が光路上に配置されている状態を示す上面図である。
【図１２】実施形態２の光ピックアップ装置において、第２の光学系が光路上に配置されている状態を示す上面図である。
【図１３】実施形態２の光ピックアップ装置において距離可変駆動手段を構成する磁性体を説明するための図であり、図１２のｙ方向から見た側面図である。
【図１４】従来の光ピックアップ装置の構成を説明するための図である。
【符号の説明】
１、５５  ホルダー
２、４１、４２  貫通孔
３  摺動軸
４  アクチュエータ台
５  第２の光学系（第３のレンズ）
６、５０  第１のレンズ
７、５１  第２のレンズ
８  第１のマグネット
９  第３のマグネット
１１  ヨーク
１２ａ、１２ｂ  第４のマグネット
１３ａ、１３ｂ  第５のマグネット
１４  フォーカシング用コイル
１５  トラッキング用コイル
２０、７０  第２のディスク
２１、７１  第１のディスク
３０  第６のマグネット
３１  第１の磁性体
３２  ベース
４０  位置センサー
５３  第３のレンズ
５２、６０  第１の光学系
【図１】
0003547000.tif 000002
【図２】
0003547000.tif 000003
【図３】
0003547000.tif 000004
【図４】
0003547000.tif 000005
【図５】
0003547000.tif 000006
【図６】
0003547000.tif 000007
【図７】
0003547000.tif 000008
【図８】
0003547000.tif 000009
【図９】
0003547000.tif 000010
【図１０】
0003547000.tif 000011
【図１１】
0003547000.tif 000012
【図１２】
0003547000.tif 000013
【図１３】
0003547000.tif 000014
【図１４】
0003547000.tif 000015